(57)【要約】【課題】プーリをベルト張り側に弾性付勢するためのバネ部材を装着することなく、ベルトの着脱、特に組み立て時のベルトの装着を容易に行うことが可能な遊技機を提供する。【解決手段】複数のプーリ４２，４３と、それらのプーリ４２，４３に巻き掛けられる無端状のベルト４５とを有するベルト駆動機構を備えた遊技機で、複数のプーリ４２，４３のうちの少なくとも１つの特定プーリ４３は可動支持手段４６によりベルト４５の張緩方向に移動可能な状態で支持され、ベルト４５を引っ掛けた状態で特定プーリ４３をベルト張り側へスライドさせ、ベルト４５が張った状態で特定プーリ４３のベルト緩み側にスペーサ４７を装着してベルト緩み側への移動を規制するように構成したものである。【選択図】図６
2010273703.tif 000002
【特許請求の範囲】
【請求項１】
複数のプーリ（４２，４３）と、それら複数のプーリ（４２，４３）に巻き掛けられる無端状のベルト（４５）とを有するベルト駆動機構（３４）を備えた遊技機において、前記複数のプーリ（４２，４３）のうちの少なくとも１つの特定プーリ（４３）を前記ベルト（４５）の張緩方向に移動可能な状態で支持する可動支持手段（４６）と、前記ベルト（４５）が張った状態で前記特定プーリ（４３）の前記張緩方向における緩み側への移動を解除可能に規制するプーリ位置規制手段（４７，７１，７２）とを備えたことを特徴とする遊技機。
【請求項２】
前記可動支持手段（４６）は、前記特定プーリ（４３）を回転自在に支持するプーリベース部（６１）と、このプーリベース部（６１）を前記張緩方向に移動自在に案内するプーリガイド部（６２）とを備え、前記プーリ位置規制手段（４７，７１）は、前記プーリガイド部（６２）に着脱自在に構成されていることを特徴とする請求項１に記載の遊技機。
【請求項３】
前記プーリ位置規制手段（４７）は、前記プーリガイド部（６２）上における前記プーリベース部（６１）に対する前記緩み側に装着されて前記プーリベース部（６１）の前記緩み側への移動空間を埋めるスペーサ（４７）により構成されていることを特徴とする請求項２に記載の遊技機。
【請求項４】
前記可動支持手段（４６）は、シャフト状の前記プーリガイド部（６２）と、そのプーリガイド部（６２）に摺動自在に装着された前記プーリベース部（６１）とで構成されており、前記スペーサ（４７）は、前記シャフト状のプーリガイド部（６２）を抱き込む断面略Ｃ字状に形成されていることを特徴とする請求項３に記載の遊技機。
【請求項５】
前記プーリベース部（６１）は、前記特定プーリ（４３）をその軸方向両側で支持する軸支持部（６６）を備え、該軸支持部（６６）は前記特定プーリ（４３）の回転軸（５６）を前記プーリベース部（６１）に対する前記張緩方向における張り側からのみ嵌脱可能に構成されていることを特徴とする請求項１〜４の何れかに記載の遊技機。
【発明の詳細な説明】
【技術分野】
【０００１】
本発明は、複数のプーリと、それら複数のプーリに巻き掛けられる無端状のベルトとを有するベルト駆動機構を備えた遊技機に関するものである。
【背景技術】
【０００２】
パチンコ機等の遊技機には、より魅力的な演出を行うべく、キャラクター等が描かれた可動体が機械的に動作する可動演出手段を、例えば液晶表示手段等の画像演出手段と共に搭載したものが多くなっている。このような可動演出手段では、可動体の動作範囲、動作方向、重量等に応じた駆動機構が採用されているが、例えば可動体を大きく平行移動させる必要があるような場合には広くベルト駆動機構が用いられている。
【０００３】
このベルト駆動機構は、例えば駆動プーリ、従動プーリを含む複数のプーリと、それら複数のプーリに巻き掛けられる無端状のベルトとを備えており、そのベルトの一部に可動体が連結されている場合が多い。
【０００４】
このようなベルト駆動機構においては、ベルトの伸びによる緩みを防止するため、従来は例えば従動プーリをベルト張り側に弾性付勢するバネ部材等が装着されていた（例えば特許文献１）。
【先行技術文献】
【特許文献】
【０００５】
【特許文献１】特開２００７−１３６１０４号公報
【発明の概要】
【発明が解決しようとする課題】
【０００６】
ところが、現在このようなベルト駆動機構で一般に使用されているベルトは長期間使用しても殆ど伸びることはないため、従動プーリを付勢するバネ部材はベルトの緩み防止という点ではその存在意義を完全に失っていると言える。従って、バネ部材の個体差による不具合の解消やコスト削減という意味ではバネ部材をなくして従動プーリの位置を固定してしまうことが望ましいと考えられる。
【０００７】
しかしながら、バネ部材をなくして従動プーリの位置を単純に固定してしまうと、プーリへのベルトの着脱が困難となり、特に組み立て工程が複雑化してしまうという問題がある。
【０００８】
本発明は上記事情に鑑みてなされたものであり、プーリをベルト張り側に弾性付勢するためのバネ部材を装着することなく、ベルトの着脱、特に組み立て時のベルトの装着を容易に行うことが可能な遊技機を提供することを目的とする。
【課題を解決するための手段】
【０００９】
本発明は、複数のプーリ４２，４３と、それら複数のプーリ４２，４３に巻き掛けられる無端状のベルト４５とを有するベルト駆動機構３４を備えた遊技機において、前記複数のプーリ４２，４３のうちの少なくとも１つの特定プーリ４３を前記ベルト４５の張緩方向に移動可能な状態で支持する可動支持手段４６と、前記ベルト４５が張った状態で前記特定プーリ４３の前記張緩方向における緩み側への移動を解除可能に規制するプーリ位置規制手段４７，７１，７２とを備えたものである。
【発明の効果】
【００１０】
本発明によれば、特定プーリ４３をベルト張り側に弾性付勢するためのバネ部材を装着することなく、ベルト４５の着脱、特に組み立て時のベルト４５の装着を容易に行うことが可能である。
【図面の簡単な説明】
【００１１】
【図１】本発明の第１の実施形態を示すパチンコ機の全体正面図である。
【図２】同じく遊技盤の平面断面図である。
【図３】同じく可動演出体及びその昇降手段の正面図である。
【図４】同じく昇降手段の平面断面図である。
【図５】同じく昇降手段の正面断面図である。
【図６】同じく昇降手段の斜視図である。
【図７】同じく昇降手段の組み立て時の一工程を示す説明図である。
【図８】同じく昇降手段の組み立て時の一工程を示す説明図である。
【図９】本発明の第２の実施形態を示す昇降手段の要部斜視図である。
【図１０】本発明の第３の実施形態を示す昇降手段の要部正面断面図である。
【発明を実施するための形態】
【００１２】
以下、本発明の実施形態を図面に基づいて詳述する。図１〜図８は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。前面板５には、その前側に、発射手段７に供給するための遊技球を貯留する貯留皿６、発射手段７を作動させるための発射ハンドル８等が設けられている。
【００１３】
１１は遊技盤で、ガラス扉４の後側に対応するように前枠３に対して例えば前側から着脱自在に装着されている。遊技盤１１の前面側には、発射手段７から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８等の各種遊技部品が配置されている。
【００１４】
センターケース１４は、図１及び図２に示すように、遊技盤１１の前側に着脱自在に装着される前飾り体２１と、この前飾り体２１に対応して遊技盤１１の裏側に着脱自在に装着される裏保持体２２とを備え、遊技領域１３の略中央に配置されており、前飾り体２１側に、普通図柄表示手段２４、特別図柄表示手段２５等が、裏保持体２２側に液晶式その他の画像表示手段２６、可動演出手段２７等が夫々設けられている。なお、センターケース１４は前飾り体２１と裏保持体２２とを一体に結合して遊技盤１１に前側から装着してもよい。
【００１５】
前飾り体２１は、裏保持体２２側の画像表示手段２６の周囲を前側から被うもので、画像表示手段２６に対応する開口状の表示窓３１を備えており、この表示窓３１の周辺部の所定位置に普通図柄表示手段２４、特別図柄表示手段２５が配置されている。なお、前飾り体２１は、その周囲に鍔状の盤面装着部３２を備えており、後部側を遊技盤１１の装着孔１１ａに前側から嵌合させ、盤面装着部３２を遊技盤１１の前面側に密着させた状態で、ネジ止め、圧入等により遊技盤１１に対して着脱自在に固定されている。
【００１６】
普通図柄表示手段２４は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１７】
特別図柄始動手段１６は、特別図柄表示手段２５による図柄変動を開始させるためのもので、普通図柄表示手段２４の変動後の停止図柄が当たり態様となって普通利益状態が発生したときに、開閉手段１６ａが所定時間、所定回数だけ閉状態から開状態に変化するように構成されている。
【００１８】
特別図柄表示手段２５は、１個又は複数個、例えば１個の特別図柄を変動表示可能な７セグメント式等の表示手段により構成されており、特別図柄始動手段１６に遊技球が入賞することを条件に特別図柄を所定時間変動表示して、特別図柄始動手段１６への入賞時に取得された大当たり判定乱数値が予め定められた大当たり判定値と一致する場合には所定の大当たり態様で、それ以外の場合には外れ態様で停止するようになっている。
【００１９】
特別図柄表示手段２５の変動後の停止図柄が大当たり態様となることに基づいて大当たり状態が発生すると、大入賞手段１７の開閉板１７ａが所定の開放パターンに従って前側に開放し、その上に落下した遊技球を内部へと入賞させるようになっている。
【００２０】
センターケース１４の裏保持体２２は、画像表示手段２６、可動演出手段２７等を遊技盤１１の裏側で保持するためのもので、前側が開放した略箱形に形成されており、遊技盤１１の装着孔１１ａを後側から被うように遊技盤１１の裏面側にねじ止め等により着脱自在に装着されている。
【００２１】
画像表示手段２６は、特別図柄表示手段２５による特別図柄の変動と同期して変動表示される演出図柄、その他の各種演出画像を、遊技状態に応じて表示するもので、前飾り体２１側の表示窓３１の後側に対応するように、裏保持体２２の裏板部２２ａの略中央に設けられた矩形開口状の装着窓２８の後側に着脱自在に装着されている。
【００２２】
可動演出手段２７は、図２，図３等に示すように、例えば画像表示手段２６よりも前側に配置される可動体３３と、この可動体３３を昇降駆動する昇降手段（ベルト駆動機構）３４とを備えている。可動体３３は、可動演出体３５と、この可動演出体３５をその後側で支持する可動支持体３６とを備え、その可動支持体３６が昇降手段３４により昇降駆動されるようになっている。
【００２３】
可動演出体３５は、例えば飛行機の正面形状を模した立体形状に形成され、その後側の可動支持体３６により、例えばその正面視略中心位置において前後方向の軸廻りに回転可能に支持されている。なお、可動演出体３５は、例えばその前部側の少なくとも一部が前飾り体２１側の表示窓３１内に突出する位置に配置されている。
【００２４】
可動支持体３６は、例えば左右方向細長状に形成され、画像表示手段２６の前面側に沿って配置されており、その左右両端側が、画像表示手段２６の左右両側に配置された一対の昇降手段３４，３４により、昇降連結体３７を介して夫々昇降可能に支持されている。可動支持体３６の両端側と昇降連結体３７とは例えば前後方向の枢軸３８により回転可能に連結され、またそれら左右の枢軸３８のうちの一方は可動支持体３６側又は昇降連結体３７側に設けられた長孔３９に沿って左右方向に移動可能であり、これによって可動支持体３６は左右の昇降手段３４，３４による非対称な駆動動作にも追従可能となっている。
【００２５】
可動支持体３６の略中央に設けられた支持部４０（図２）には、例えばその内部に配置されたステッピングモータ等の回転駆動手段（図示省略）によって所定方向、例えば正逆両方向に回転する回転軸４１が前向きに突設され、この回転軸４１の先端側が可動演出体３５の裏側に固定されており、可動演出体３５は昇降手段３４による昇降動作とは別に回転動作可能となっている。
【００２６】
昇降手段３４は、例えば画像表示手段２６の左右両縁部に沿って前飾り体２１と裏保持体２２との間に配置され、図３及び図６に示すように、画像表示手段２６に対する上下一方側、例えば下部側に配置される駆動プーリ４２と、画像表示手段２６に対する上下一方側、例えば上部側に配置される従動プーリ（特定プーリ）４３と、駆動プーリ４２を回転駆動するステッピングモータ等よりなる昇降駆動手段４４と、駆動プーリ４２と従動プーリ４３とに巻き掛けられ且つその一部に昇降連結体３７が固定されるギヤベルト等よりなる無端状のベルト４５と、従動プーリ４３をベルト４５の張緩方向、即ち上下方向に移動可能な状態で支持する可動支持手段４６と、ベルト４５が張った状態で従動プーリ４３の張緩方向における緩み側、即ち下側への移動を解除可能に規制するスペーサ（プーリ位置規制手段）４７と、昇降連結体３７を上下方向に案内する昇降ガイド部４８とを備え、フレーム４９を介して裏保持体２２に着脱自在に装着されている。
【００２７】
フレーム４９は、例えば所定形状に形成された一枚の板金を複数箇所折り曲げ加工して形成されており、遊技盤１１と平行な上下方向細長状の本体部５０が裏保持体２２の裏板部２２ａの前面側にねじ止め等により固定されている。なお、以下の説明では、ベルト４５の張緩方向における緩み側を単に「ベルト緩み側」、張り側を単に「ベルト張り側」というものとする。
【００２８】
駆動プーリ４２は、例えばその回転軸５１を左右方向に向けた状態で、フレーム４９の下端側に折り曲げ加工により一体形成された左右一対のプーリ支持フランジ５２，５２により回転自在に支持されている。この駆動プーリ４２には、同軸状のギヤ５３が例えば一体に設けられており、このギヤ５３に、昇降駆動手段４４の駆動軸４４ａに固定された駆動ギヤ５４が噛合している。なお、昇降駆動手段４４は、駆動軸４４ａを左右方向に向けた状態で、フレーム４９の下端側に折り曲げ加工により一体形成された駆動手段装着部５５に着脱自在に固定されている。なお、本実施形態では、一対のプーリ支持フランジ５２のうちの一方と駆動手段装着部５５とを一体に設けている。
【００２９】
従動プーリ４３は、例えば駆動プーリ４２と同径に形成されており、例えばその回転軸５６を駆動プーリ４２と同じく左右方向に向けた状態で、駆動プーリ４２の上方位置において可動支持手段４６により回転自在に支持されている。これにより、駆動プーリ４２と従動プーリ４３とに巻き掛けられたベルト４５は、前後に平行となるように画像表示手段２６の左右の縁部に沿って上下方向に張架される。
【００３０】
可動支持手段４６は、図４〜図８に示すように、従動プーリ４３を回転自在に支持するプーリベース部６１と、このプーリベース部６１をベルト４５の張緩方向、即ち上下方向に移動可能に案内するプーリガイド部６２とを備えている。
【００３１】
プーリガイド部６２は、例えば円形断面のシャフトにより構成されており、ベルト４５の左右両側にその張緩方向、即ち上下方向に沿って配置されている。左右のプーリガイド部６２は、夫々フレーム４９の上端側に折り曲げ加工により一体形成された上下一対のプーリガイド支持フランジ６３ａ，６３ｂによりその上下両端側において支持されており、それら上下のプーリガイド支持フランジ６３ａ，６３ｂ間がプーリガイド部６２のガイド範囲となっている。
【００３２】
プーリベース部６１は、その左右方向略中央に例えば後ろ向き凹入状に形成された切欠部６４と、その切欠部６４を挟んで左右両側に上下方向貫通状に形成された一対のガイド孔６５と、切欠部６４の左右の内縁部に設けられた一対の軸支持部６６とを備え、左右のガイド孔６５に夫々プーリガイド部６２が挿通されることにより上下方向（張緩方向）に摺動自在に支持されている。
【００３３】
軸支持部６６は、切欠部６４内に収容された従動プーリ４３の回転軸５６をその両端側において支持するもので、プーリベース部６１に対してベルト張り側（上側）からベルト緩み側（下側）に向けて凹入状に形成されており、従動プーリ４３の回転軸５６をベルト張り側（上側）からのみ嵌脱可能となっている。
【００３４】
なお、プーリガイド部６２は、プーリベース部６１が下側のプーリガイド支持フランジ６３ｂに当接した状態（図７）のとき（ガイド範囲内における最もベルト緩み側にあるとき）に従動プーリ４３を軸支持部６６に着脱できる程度にベルト４５を緩ませることができ、またベルト４５が最も張った状態（図６，図８等）のときに、プーリベース部６１が上側のプーリガイド支持フランジ６３ａに当接する（ガイド範囲内における最もベルト張り側にくる）か又は若干隙間ができるように、そのガイド範囲が設定されているものとする。
【００３５】
スペーサ４７は、プーリガイド部６２上におけるプーリベース部６１に対するベルト緩み側に装着されてその移動空間を埋めることにより従動プーリ４３のベルト緩み側への移動を規制するもので、例えば合成樹脂により断面略Ｃ字状に形成されている。スペーサ４７は、プーリガイド部６２上におけるプーリガイド支持フランジ６３ｂとプーリベース部６１との間にプーリガイド部６２を抱き込むように着脱自在に装着されるようになっており、プーリガイド部６２に装着したとき、ベルト４５が最も張った状態となるように軸方向長さが設定されている。
【００３６】
昇降ガイド部４８は、例えば円形断面のシャフトにより構成されており、ベルト４５に沿ってその左右一方側、例えば画像表示手段２６側に配置され、フレーム４９の上端側と下端側に折り曲げ加工により一体形成された一対の昇降ガイド支持フランジ６７ａ，６７ｂによりその上下両端側において支持されている。
【００３７】
本実施形態では、昇降ガイド部４８と一方のプーリガイド部６２とが一本のガイドシャフト６８により形成されており、下側のプーリガイド支持フランジ６３ｂと上側の昇降ガイド支持フランジ６７ａとが共通となっている。即ち、ガイドシャフト６８は、その上下両端部と中間部の３箇所で夫々プーリガイド支持フランジ６３ａ、昇降ガイド支持フランジ６７ｂ、プーリガイド支持フランジ６３ｂ（＝昇降ガイド支持フランジ６７ａ）により夫々支持されており、プーリガイド支持フランジ６３ａ，６３ｂ間がプーリガイド部６２、昇降ガイド支持フランジ６７ａ，６７ｂ間が昇降ガイド部４８となっている。
【００３８】
昇降ガイド部４８には、昇降連結体３７が軸方向摺動自在に装着されている。昇降連結体３７は、その左右方向一端側に設けられたベルト固定部３７ａ（図３）においてベルト４５に固定されており、昇降駆動手段４４の駆動によるベルト４５の動作に伴って昇降ガイド部４８に沿って昇降するようになっている。なお、昇降連結体３７は、例えばその後端側が昇降ガイド部４８の周方向に対する複数箇所でフレーム４９の本体部５０の前面側に略当接しており、これによって昇降ガイド部４８に対する軸廻りの回転動作が規制されている。
【００３９】
以上のような構成を有するセンターケース１４の組み立て段階において、昇降手段３４にベルト４５を装着する際には、まずベルト４５の下部側を駆動プーリ４２に掛けた状態にしておく。この段階では、ベルト４５は緩んだ状態のため、ベルト４５を掛けた状態で駆動プーリ４２をプーリ支持フランジ５２，５２に容易にセットできる。
【００４０】
続いて、図７に示すように、プーリベース部６１に装着される前の従動プーリ４３をベルト４５の上部側に引っ掛け、その状態でプーリベース部６１の軸支持部６６に対して回転軸５６を嵌め込むことにより従動プーリ４３をプーリベース部６１に装着する。このとき、スペーサ４７は未だ装着されていないため、プーリベース部６１はプーリガイド部６２に沿ってガイド範囲全体にわたって摺動自在であり、図７に示すようにプーリベース部６１を下側のプーリガイド支持フランジ６３ｂに当接させた状態にすれば、ベルト４５が緩んだ状態で従動プーリ４３をプーリベース部６１に容易に装着することができる。
【００４１】
その後、図８に示すように、プーリベース部６１をプーリガイド部６２に沿ってベルト張り側、即ち上側に移動させ、ベルト４５が張った状態で、プーリガイド支持フランジ６３ｂとプーリベース部６１との間のプーリガイド部６２にスペーサ４７を装着する。これにより、プーリベース部６１のベルト緩み側への移動が規制され、図６に示すように従動プーリ４３はベルト４５が張った状態で固定される。
【００４２】
ここで、従動プーリ４３はプーリベース部６１に対してベルト張り側から嵌め込まれただけで固定はされていないが、ベルト４５が張った状態で維持されるため、その張力により、プーリベース部６１から脱落することはない。なお、昇降連結体３７の昇降ガイド部４８への装着やベルト４５への固定は従動プーリ４３を装着する前に行ってもよいし後に行ってもよい。
【００４３】
以上説明したように、本実施形態のパチンコ機は、駆動プーリ４２，従動プーリ４３のうちの従動プーリ４３をベルト４５の張緩方向に移動可能な状態で支持する可動支持手段４６と、ベルト４５が張った状態で従動プーリ４３のベルト緩み側への移動を解除可能に規制するスペーサ４７とを備えているため、従動プーリ４３をベルト張り側に弾性付勢するためのバネ部材を装着することなく、ベルト４５の着脱、特に組み立て時のベルト４５の装着を容易に行うことが可能である。
【００４４】
また、可動支持手段４６は、従動プーリ４３を回転自在に支持するプーリベース部６１と、このプーリベース部６１をベルト張緩方向に移動自在に案内するプーリガイド部６２とを備え、スペーサ４７はプーリガイド部６２上におけるプーリベース部６１に対するベルト緩み側に装着されてプーリベース部６１のベルト緩み側への移動空間を埋めるように構成されているため、バネ部材を用いる場合と比べて構成が簡単でしかも従動プーリ４３を確実に固定することができる。
【００４５】
可動支持手段４６は、シャフト状のプーリガイド部６２と、そのプーリガイド部６２に摺動自在に装着されたプーリベース部６１とで構成されており、スペーサ４７は、シャフト状のプーリガイド部６２を抱き込む断面略Ｃ字状に形成されているため、スペーサ４７の着脱を極めて容易に行うことができる。
【００４６】
プーリベース部６１は、従動プーリ４３をその軸方向両側で支持する軸支持部６６を備え、この軸支持部６６は従動プーリ４３の回転軸５６をプーリベース部６１に対するベルト張り側からのみ嵌脱可能に構成されているため、従動プーリ４３の着脱が容易であり、しかもスペーサ４７によってプーリベース部６１の移動を規制した状態では従動プーリ４３が脱落することはない。
【００４７】
図９は本発明の第２の実施形態を例示し、ベルト４５を張った状態でのプーリベース部６１の位置に対するベルト緩み側に対応して、プーリガイド部６２に周方向の溝６２ａを設け、この溝６２ａにＣリング（プーリ位置規制手段）７１を装着するようにした例を示している。
【００４８】
このように構成しても、第１の実施形態と同様、従動プーリ４３をベルト張り側に弾性付勢するためのバネ部材を装着することなく、ベルト４５の着脱、特に組み立て時のベルト４５の装着を容易に行うことが可能である。
【００４９】
図１０は本発明の第３の実施形態を例示し、プーリガイド部６２の少なくとも一部に雄ねじ加工を施すと共にナット（プーリ位置規制手段）７２を装着した例を示している。プーリガイド部６２に施す雄ねじ部７３の範囲は、少なくともベルト４５を張った状態でのプーリベース部６１に対するベルト緩み側の一定範囲を含み、それよりもベルト緩み側の範囲はプーリガイド部６２の軸径を雄ねじ部７３部分よりも小さくしてナット７２が軸方向に摺動可能とすることが望ましい。
【００５０】
また、ナット７２は、プーリベース部６１に対して少なくともベルト緩み側に装着すればよいが、ナットの緩み防止のため、図１０に示すようにナット７２をベルト張り側にも設けて２つのナット７２でプーリベース部６１を挟み込んで固定するようにしてもよい。ナット７２をプーリベース部６１に対するベルト緩み側にのみ装着する場合には何らかの緩み防止対策を施すことが望ましい。
【００５１】
以上のように構成しても、第１，第２の実施形態と同様、従動プーリ４３をベルト張り側に弾性付勢するためのバネ部材を装着することなく、ベルト４５の着脱、特に組み立て時のベルト４５の装着を容易に行うことが可能である。
【００５２】
以上、本発明の実施形態について詳述したが、本発明はこれらの実施形態に限定されるものではなく、本発明の趣旨を逸脱しない範囲で種々の変更が可能である。例えば、ベルト駆動機構を構成するプーリの数は２個に限らず３個以上であってもよく、またそのうちの複数を特定プーリとしてもよい。特定プーリは従動プーリに限らず、駆動手段によって駆動される駆動プーリであってもよい。
【００５３】
実施形態ではプーリベース部６１をプーリガイド部６２により２箇所でガイドし、且つその２箇所で夫々プーリ位置規制手段４７，７１〜７３による移動規制を行うように構成したが、プーリガイド部６２はプーリベース部６１を１箇所又は３箇所以上でガイドするように構成し、それら１箇所又は３箇所以上の位置でプーリ位置規制手段４７，７１〜７３による移動規制を行うように構成してもよい。
【００５４】
ベルト駆動機構は一対で設ける必要はなく、単独で可動体を動作させるものであってもよい。
【００５５】
プーリ位置規制手段は、ベルト４５が張った状態で特定プーリ４３のベルト緩み側への移動を解除可能に規制するものであればよく、第１〜第３の実施形態以外にも種々の態様が考えられる。例えばプーリガイド部６２上に、ベルト４５を張った状態でのプーリベース部６１の位置に対するベルト緩み側に対応して、半径方向に拡縮自在で且つ拡張方向に弾性付勢された規制片（プーリ位置規制手段）を１又は複数設けてもよい。この規制片は、例えばベルト緩み側からベルト張り側に向けて徐々に張り出し幅が大きくなるように例えば略三角形状に形成し、プーリベース部６１をベルト張り側に移動させる際にはそのプーリベース部６１によって内向きに押されることによりその通過を許容し、逆にベルト緩み側に移動させる際には内向きに縮めない限りプーリベース部６１の通過を阻止するようにすればよい。
【００５６】
このように構成しても、第１〜第３の実施形態と同様、従動プーリ４３をベルト張り側に弾性付勢するためのバネ部材を装着することなく、ベルト４５の着脱、特に組み立て時のベルト４５の装着を容易に行うことが可能である。
【００５７】
また本発明は、パチンコ機以外の弾球遊技機はもちろん、スロットマシン等、弾球遊技機以外の各種の遊技機においても同様に実施することが可能である。
【符号の説明】
【００５８】
３４  昇降手段（ベルト駆動機構）
４２  駆動プーリ（プーリ）
４３  従動プーリ（プーリ，特定プーリ）
４５  ベルト
４６  可動支持手段
４７  スペーサ（プーリ位置規制手段）
５６  回転軸
６１  プーリベース部
６２  プーリガイド部
６６  軸支持部
７１  Ｃリング（プーリ位置規制手段）
７２  ナット（プーリ位置規制手段）
【図１】
2010273703.tif 000003
【図２】
2010273703.tif 000004
【図３】
2010273703.tif 000005
【図４】
2010273703.tif 000006
【図５】
2010273703.tif 000007
【図６】
2010273703.tif 000008
【図７】
2010273703.tif 000009
【図８】
2010273703.tif 000010
【図９】
2010273703.tif 000011
【図１０】
2010273703.tif 000012